(57)【要約】【課題】本発明は、弾性部材で押圧されたディテントピンがガイドヘッドに当接してガイドヘッドが位置決めされることにより、ディテント動作時の感触の向上を得ることを目的とする。【解決手段】本発明によるディテント機構は、ディテントユニット(4)のディテントピン(26)が弾性部材(25)の弾性によって付勢されてガイドヘッド(3)の突部(3A)に当接することにより、前記ガイドヘッド(3)が良好なディテント感を伴ってディテント位置決めが行われる構成である。【選択図】図１
2014078112.tif 000002
【特許請求の範囲】
【請求項１】
一部に突部(3A)を有すると共に長手状の溝又は開口からなるガイド部(2A)内を介して移動自在に設けられたガイドヘッド(3)と、前記ガイドヘッド(3)を移動させるための可動部材(3B)と、前記ガイドヘッド(3)の近傍位置に配設されたディテントユニット(4)と、前記ディテントユニット(4)内に設けられた長手状の弾性部材(25)と、前記弾性部材(25)に後端(26b)が当接し先端(26a)が前記突部(3A)に係合するように配設されたディテントピン(26)と、よりなり、前記ディテントピン(26)は前記弾性部材(25)を介して往復直動し、前記ガイドヘッド(3)が前記ディテントピン(26)と係合することにより、前記ガイドヘッド(3)の位置決めが行われることを特徴とするディテント機構。
【請求項２】
前記ディテントピン(26)にはストッパ用突起(27)が設けられていることを特徴とする請求項１記載のディテント機構。
【請求項３】
前記弾性部材(25)は前記ディテントユニット(4)の保持板(5)に形成された保持孔(20)内に位置し、前記ディテントピン(26)は前記保持板(5)に形成された長手孔(21)内に直動自在に配設され、前記ストッパ用突部(27)は、前記保持板(5)に形成された開口(22)内で所定のストッパ用ストローク(32)に応じて移動するように構成されていることを特徴とする請求項２記載のディテント機構。
【請求項４】
前記弾性部材(25)は、ゲル材料、樹脂材料、ゴム板の何れかで構成されていることを特徴とする請求項１ないし３の何れかに記載のディテント機構。
【発明の詳細な説明】
【技術分野】
【０００１】
本発明は、ディテント機構に関し、特に、弾性部材で押圧されたディテントピンがガイドヘッドに当接してガイドヘッドが位置決めされることにより、ディテント動作時の感触の向上を得るための新規な改良に関する。
【背景技術】
【０００２】
従来、用いられいたこの種のディテント機構としては、特許文献１の第１図及び第２図に示されるように、階段状のディテント溝部に対してレバーのディテント突部を摺動させて、レバーを所定のディテント位置に位置決めさせる構成を挙げることができる。
また、他のディテント機構としては、一般に、図３及び図４で示される他の従来構成を挙げることができる。
すなち、図３において、符号１で示されるものは装置であり、この装置１で固定配置のガイド体２には、長手形状の溝、開口等からなる長手のガイド部２Ａが全体としてくの字型状に形成されている。
【０００３】
前記ガイド部２Ａ内には、一部に突部３Ａを有する円形からなるガイドヘッド３が矢印Ａの方向に沿って移動自在に設けられ、このガイドヘッド３は、図示してないが、装置１のレバー等の可動部材に接続されている。
【０００４】
前記ガイド体２の前記ガイド部２Ａの隣接位置には、ディテントユニット４を構成するための保持板５が取付ボルト６を介して固定配設されており、この保持板５は長孔７を介してその取付位置を矢印Ｂ方向に沿って調整することができるように構成されている。
【０００５】
前記保持板５の一端５ａには、長手形状の板ばね７が取り付けられており、この板ばね７はその長手形状の途中位置に山状に窪む形状からなるディテント用凹部８が形成され、前記ガイドヘッド３の突部３Ａは前記ディテント用凹部８に係合して、前記ガイドヘッド３の矢印Ａに沿う移動時のディテント位置１０における位置決めを行うことができる。
【先行技術文献】
【特許文献】
【０００６】
【特許文献１】特開平１１−２４５６８１号公報
【発明の概要】
【発明が解決しようとする課題】
【０００７】
従来のディテント機構は、以上のように構成されているため、次のような課題が存在していた。
すなわち、前述の特許文献１の構成の場合、ディテント溝部が段々状に消せされているのみであるため、ディテント位置に停止した時のディテント感が、操作する人の感覚に合わない面が存続していた。
また、図３及び図４で示される他の従来例においては、ガイドヘッド３の突部３Ａが板ばね７のディテント用凹部８内に係合する時の金属的な音がディテント感となるため、操作する人の感覚に合わない状態となっていた。
【０００８】
本発明は、以上のような課題を解決するためになされたもので、特に、弾性部材で押圧されるディテントピンをガイドヘッドの突部に係合させることによってディテント位置にガイドヘッドを位置決めすることにより、ディテント感の良好な位置決めを行うことを目的とする。
【課題を解決するための手段】
【０００９】
本発明によるディテント機構は、一部に突部を有すると共に長手状の溝又は開口からなるガイド部内を介して移動自在に設けられたガイドヘッドと、前記ガイドヘッドを移動させるための可動部材と、前記ガイドヘッドの近傍位置に配設されたディテントユニットと、前記ディテントユニット内に設けられた長手状の弾性部材と、前記弾性部材に後端が当接し先端が前記突部に係合するように配設されたディテントピンと、よりなり、前記ディテントピンは前記弾性部材を介して往復直動し、前記ガイドヘッドが前記ディテントピンと係合することにより、前記ガイドヘッドの位置決めが行われる構成であり、また、前記ディテントピンにはストッパ用突起が設けられている構成であり、また、前記弾性部材は前記ディテントユニットの保持板に形成された保持孔内に位置し、前記ディテントピンは前記保持板に形成された長手孔内に直動自在に配設され、前記ストッパ用突部は、前記保持板に形成された開口内で所定のストッパ用ストロークに応じて移動するように構成されている構成であり、また、前記弾性部材は、ゲル材料、樹脂材料、ゴム板の何れかで構成されている構成である。
【発明の効果】
【００１０】
本発明によるディテント機構は、以上のように構成されているため、次のような効果を得ることができる。
すなわち、一部に突部を有すると共に長手状の溝又は開口からなるガイド部内を介して移動自在に設けられたガイドヘッドと、前記ガイドヘッドを移動させるための可動部材と、前記ガイドヘッドの近傍位置に配設されたディテントユニットと、前記ディテントユニット内に設けられた長手状の弾性部材と、前記弾性部材に後端が当接し先端が前記突部に係合するように配設されたディテントピンと、よりなり、前記ディテントピンは前記弾性部材を介して往復直動し、前記ガイドヘッドが前記ディテントピンと係合することにより、前記ガイドヘッドの位置決めが行われることにより、ディテントピンとガイドヘッドが当接する際のディテントピンの往復動を弾性部材で受けるため、ディテントピンの動作が従来の板ばねよりソフトとなり、位置決め時のディテント感が向上する。
また、前記ディテントピンにはストッパ用突起が設けられていることにより、ディテントピンの動作を確実に規制することができる。
また、前記弾性部材は前記ディテントユニットの保持板に形成された保持孔内に位置し、前記ディテントピンは前記保持板に形成された長手孔内に直動自在に配設され、前記ストッパ用突部は、前記保持板に形成された開口内で所定のストッパ用ストロークに応じて移動するように構成されていることにより、ディテントピンを保持板によって確実に直動自在とすることができる。
また、前記弾性部材は、ゲル材料、樹脂材料、ゴム板の何れかで構成されていることにより、ディテントピンの直動時における押圧付勢及び後退動作時の受け止め吸収がソフトとなり、従来の板ばねの動作よりも柔軟なディテント感（力）の向上を得ることができる。
【図面の簡単な説明】
【００１１】
【図１】本発明によるディテント機構を示す構成図である。
【図２】図１の要部の拡大構成図である。
【図３】従来のディテント機構を示す構成図である。
【図４】図３の要部の拡大構成図である。
【発明を実施するための形態】
【００１２】
本発明は、弾性部材で押圧されたディテントピンがガイドヘッドに当接してガイドヘッドが位置決めされることにより、ディテント動作時の感触の向上を得るようにしたディテント機構を提供することを目的とする。
【実施例】
【００１３】
以下、図面と共に本発明によるディテント機構の好適な実施の形態について説明する。
尚、従来例と同一又は同等部分には、同一符号を付して説明する。
図１において、符号１で示されるものは装置であり、この装置１で固定配置のガイド体２には、長手形状の溝、間口等からなる長手のガイド部２Ａが全体としてくの字型状に形成されている。
【００１４】
前記ガイド部２Ａ内には、一部に突部３Ａを有する円形からなるガイドヘッド３が矢印Ａの方向に沿って移動自在に設けられ、このガイドヘッド３は、図２に示されるように装置１のレバー等の可動部材３Ｂに接続されている。
【００１５】
前記ガイド体２の前記ガイド部２Ａの隣接位置には、ディテントユニット４を構成するための保持板５が取付ボルト６を介して固定配設されており、この保持板５は図示しない長孔を介してその取付位置を矢印Ｂ方向に沿って若干調整することができるように構成されている。
【００１６】
前記保持板５には、保持孔２０、長手孔２１及び開口２２が互いに連続した状態で、かつ、全体形状がほぼＴ字形をなすように形成されており、前記保持孔２０は前記矢印Ｂ方向に沿って長手状に形成され、前記長手孔２１は前記保持孔２０の長手方向の中央位置からこれと直交する方向に沿って長手状に形成され、前記開口２２は前記長手孔２１の端部側の両側に前記矢印Ｂ方向に沿って突出するように形成されている。
【００１７】
前記保持孔２０内には、長手形状の弾性部材２５が配設され、前記長手孔２１内には長手状のディテントピン２６が矢印Ｃの方向に沿って往復直動可能に配設され、前記ディテントピン２６の先端２６ａ側の両側にはその長手方向と直交する方向にストッパ用突部２７が形成されている。
【００１８】
前記弾性部材２５は、ゲル材料、樹脂材料、ゴム板の何れかで構成され、前記ディテントピン２６の後端２６ｂは前記弾性部材２５に当接し、前記先端２６ａは前記ガイドヘッド３の突部３Ａと当接するように構成されている。
前記ストッパ用突部２７は、前記開口２２内に位置すると共に、前記ディテントピン２６が矢印Ｃ方向に沿って往復移動した場合に、前記ストッパ用突部２７が前記開口の内壁からなる各ストッパ部３０,３１に当接することにより、この開口２２の矢印Ｃ方向に沿うストッパ用ストローク３２の範囲内の移動に規制されるように構成されている。
【００１９】
次に、以上のように構成されたディテント機構の動作について述べる。
図１及び図２の状態は、ディテントピン２６が弾性部材２５によって突出した状態で、ガイドヘッド３が前記先端２６ａに当接した状態で、ディテント位置１０にガイドヘッド３及び可動部材３Ｂが良好なディテント感をもって位置決めされている。
さらに、前述の状態で、前記可動部材３Ｂを介してガイドヘッド３を図１の左側に移動させようとすると、前記突部３Ａによってディテントピン２６が弾性部材２５の変形を伴って後退し、ガイドヘッド３がディテントピン２６を通過することによってガイドヘッド３及び可動部材３Ｂは自由移動状態となる。
次に、前述の状態から可動部材３Ｂとガイドヘッド３を図１の状態の方向に戻すと、ガイドヘッド３の突部３Ａは、前記先端２６ａの左側（図１は右側）に当接し、前記ガイドヘッド３及び可動部材３Ｂのディテント位置１０ａ（図１はディテント位置１０）にディテント感を持って位置決めされる。
【産業上の利用可能性】
【００２０】
本発明によるディテント機構は、弾性部材の弾性によって付勢されるディテントピンの先端が可動部材のガイドヘッドに当接することによってディテント位置決めが行われるため、ディテント感の良好な位置決めを行うことができる。
【符号の説明】
【００２１】
１    装置
２    ガイド体
２Ａ    ガイド部
３    ガイドヘッド
３Ａ    突部
３Ｂ    可動部材
４    ディテントユニット
５    保持板
６    取付けボルト
１０,１０ａ    ディテント位置
２０    保持孔
２１    長手孔
２２    開口
２５    弾性部材
２６    ディテントピン
２６ａ    先端
２６ｂ    後端
２７    ストッパ用突部
３０,３１    ストッパ部
３２    ストッパ用ストローク
【図１】
2014078112.tif 000003
【図２】
2014078112.tif 000004
【図３】
2014078112.tif 000005
【図４】
2014078112.tif 000006